(57)【要約】【課題】無線ネットワークを介して受信されるデータの電界強度の状態に応じて、最適な通信を行うことが可能な移動体電子装置を提供することを目的とする。【解決手段】他の電子装置とピコネットなどの無線ネットワークにより接続される移動体電子装置であって、他の電子装置と直接通信またはリピータ５などの中継装置を介して通信する通信制御部２１と、通信制御部２１により受信された受信データの電界強度を測定する電界強度測定部３１と、電界強度測定部３１により測定された電界強度を表示する液晶表示部２６と、経路を選択するキー入力部２５とを備え、通信制御部２１は、キー入力部２５により選択された経路を選択するものである。【選択図】図２
2005204123.tif 000002
【特許請求の範囲】
【請求項１】
他の電子装置と無線ネットワークにより接続される移動体電子装置であって、
前記他の電子装置と直接通信または中継装置を介して通信する通信手段と、
前記通信手段により受信された受信データの電界強度を測定する測定手段とを備え、
前記通信手段は、前記測定手段により測定された前記電界強度に応じて、前記他の電子装置と直接通信または中継装置を介した通信のいずれかの経路を選択することを特徴とする移動体電子装置。
【請求項２】
前記経路と、前記経路に対応した前記受信データの電界強度とを表示する手段と、
前記経路を選択する入力手段とを備え、
前記通信手段は、前記入力手段により選択された経路を選択することを特徴とする請求項１記載の移動体電子装置。
【請求項３】
前記通信手段は、前記測定手段が測定した前記受信データの電界強度と、前記通信手段により送信された送信データの電界強度の測定結果が格納された前記経路からの前記受信データとに基づいて選択することを特徴とする請求項１または２に記載の移動体電子装置。
【請求項４】
前記受信データは、装置の名称に関する情報を含んでいることを特徴とする請求項１から３のいずれかの項に記載の移動体電子装置。
【請求項５】
他の電子装置と無線ネットワークにより接続される移動体電子装置であって、
前記他の電子装置と直接通信または中継装置を介して通信する通信手段と、
前記通信手段により受信された受信データの電界強度を測定する測定手段と、
通信制御部とを備え、
前記通信制御部は定期的または必要に応じて無線ネットワーク内の同期をとるための問い合わせパケットを発信し、
自らが発信した問い合わせパケットに対しての応答パケットを返してきた電子装置または中継装置に対して名前情報要求パケットを送信し、
該名前情報要求パケットに対して相手方装置から名前情報が書き込まれたパケットを受信した場合に当該名前情報が書き込まれたパケットを受信した際に前記測定手段により該パケット受信時の電界強度を測定し、この測定値を強度記憶部に相手方の電子装置または中継装置を示す名前情報と共に格納し、
前記強度記憶部の情報に基づいて電子装置と直接通信する経路または中継装置を介して通信する経路の内で最も良好に信できる経路を選択することを特徴とする移動体電子装置。
【発明の詳細な説明】
【技術分野】
【０００１】
本発明は、無線ネットワークに接続してデータ通信、通話、印刷を行うことが可能な移動体電子装置に関する。
【背景技術】
【０００２】
近年、無線ネットワークはさまざまな規格が標準化され、さまざまな用途を持つ装置が同じ規格の無線ネットワークに接続されるようになってきている。
【０００３】
例えば、無線ネットワーク規格としてのブルートゥース（Ｂｌｕｅｔｏｏｔｈ（商標））は、コンピュータのみならず、プリンタ、スキャナなどのコンピュータ周辺機器や、ファクシミリ装置、オーディオ装置、コードレス電話機などの電子装置がブルートゥースの規格で接続することができ、それぞれの電子装置が、情報、音声や画像などが送受信できる仕様となっている。
【０００４】
無線ネットワークに接続可能な電子装置は、コードレス電話機の子機のように、無線ネットワークの無線電波が届く範囲内であればどこへでも移動して会話をすることができる。また、無線ネットワークの範囲内に中継装置であるリピータを設置することで、子機を使用して会話ができる範囲を拡大することができる。
【０００５】
このようにしてコードレス電話機の子機は、親機からの通話を、直接またはリピータを介して通話しているが、移動した場所によっては、リピータの通話可能範囲と親機の通話可能範囲と重なる場合がある。この場合、子機にとっては、通話状態が良い方と接続する方が望ましい。
【０００６】
このように移動する電子装置において、無線電波を良好な状態で受信するための技術として、以下のものがある。
【０００７】
例えば、特許文献１には、基地局に設けられたアンテナにより、間欠的にアンテナの周囲を走査させることで、自動車電話などの移動体から送信される無線電波の電界強度が、最も強い方向へアンテナを向ける無線通信システムが記載されている。
【０００８】
また、特許文献２には、デジタルセルラーシステムの移動体と、複数の中継局（無線基地局）と、中継局を制御する基地局（基地局制御装置）とで構成され、基地局は、定期的に各中継局に呼量の報告を要求し、各中継局で呼量に偏りがあり、また電界強度に差がある場合には、中継局のエリア内の無線中継器を介して隣接する中継局経由でパスを張るようにしたパス設定方式が記載されている。
【０００９】
また、特許文献３には、画像を送信する移動体通信装置の無線電波を受信する各中継局が、受信した画像データとともに電界強度のデータを基地局へ送信し、基地局が各中継局からの送信された電界強度データの最も強い中継局からの画像を表示することで、クオリティの高い画像データを表示できる移動体画像伝送装置が記載されている。
【特許文献１】特開平７−８７０１１号公報
【特許文献２】特開２０００−３３３２５７号公報
【特許文献３】特開平１１−２２５３２５号公報
【発明の開示】
【発明が解決しようとする課題】
【００１０】
しかしながら、特許文献１においては、アンテナを電界強度が強い移動体の方へ向けるとなると大規模な装置が必要となり、コストが高く設置面積も広い場所が要求される。
【００１１】
また、特許文献１から３においては、固定設置されている中継局または中継局を管理する基地局側で電界強度を測定しているため、移動体側が受信するデータの電界強度とは、電界強度の状態が異なる場合がある。
【００１２】
例えば、コードレス電話機の子機が、親機と、直接またはリピータを介して通話をしている時に、リピータ側で受信したデータの電界強度の方が、親機側で受信したデータの電界強度より強い場合ある。
【００１３】
子機はリピータを介して、親機と通話をした方が良いように思われるが、親機からの送信データの電界強度が、リピータからの送信データの電界強度より強いと、子機を使用する者にとっては、親機と直接接続して通話をした方がよく、リピータを介して親機と接続すると通話品質の低下という問題が発生する。
【００１４】
また、特許文献２および３において、複数の中継局を管理する基地局が必要となるため、ブルートゥースのような無線ネットワークでは、それぞれが単体で動作する電子装置で構成されるので、そのような無線電波の電界強度を管理する基地局に相当する装置を構成できない。従って、特許文献２および３の移動体通信装置をそのまま適用することは不可能である。
【００１５】
そこで、本発明は、無線ネットワークを介して受信されるデータの電界強度の状態に応じて、最適な通信を行うことが可能な移動体電子装置を提供することを目的とする。
【課題を解決するための手段】
【００１６】
複数の無線ネットワークに接続可能な電子装置であって、複数の無線ネットワークに接続された他の電子装置と直接または中継装置を介して通信する通信手段と、通信手段により受信された受信データの電界強度を測定する測定手段とを備え、通信手段は、測定手段により測定された電界強度に応じて、無線ネットワークと接続する経路を選択することを主要な特徴とする。
【発明の効果】
【００１７】
本発明の移動体電子装置は、他の電子装置と無線ネットワークにより接続され、他の電子装置と直接または中継装置を介して通信する通信手段と、通信手段により受信した受信データの電界強度を測定する測定手段とを備え、通信手段は、測定手段により測定した電界強度に応じて、他の電子装置と直接通信または中継装置を介して通信のいずれかの経路を選択する構成により、移動体電子装置側で測定した受信データの電界強度の状態に応じて、無線ネットワークの経路を選択することが可能となる。よって、最適な受信状態で使用でき、高品質な通信が可能な移動体電子装置とすることができる。
【発明を実施するための最良の形態】
【００１８】
本発明は、無線ネットワークを介して受信されるデータの電界強度の状態に応じて、最適な通信を行うことが可能な移動体電子装置を提供するという目的を、受信データの電界強度を測定する測定手段と、測定した電界強度に応じて受信する経路を選択する通信手段を備えたことにより実現した。
【００１９】
第１の発明は、他の電子装置と無線ネットワークにより接続される移動体電子装置であって、前記他の電子装置と直接通信または中継装置を介して通信する通信手段と、前記通信手段により受信された受信データの電界強度を測定する測定手段とを備え、前記通信手
段は、前記測定手段により測定された前記電界強度に応じて、前記他の電子装置と直接通信または中継装置を介して通信のいずれかの経路を選択するものであり、他の電子装置と直接または中継装置を介して受信した受信データの電界強度を測定手段で測定し、その電界強度に応じて、他の電子装置と直接通信または中継装置を介して通信のいずれかの経路を選択する通信手段により、移動体電子装置側で受信した通信データの状態に応じた無線ネットワークの経路を選択することができる。従って、最適な受信状態で操作者が使用することが可能であり、高品質な通信が可能な無線ネットワークに接続可能な移動体電子装置とすることができる。
【００２０】
第２の発明は、前記経路と、前記経路に対応した前記受信データの電界強度とを表示する手段と、前記経路を選択する入力手段とを備え、前記通信手段は、前記入力手段により選択された経路を選択としたものであり、操作者が表示手段に表示された経路に対応した電界強度を確認することができ、電界強度が最も強い経路を操作者が入力手段により指示するので、最適な受信状態で使用することが可能となる。従って、高品質な通信が可能な移動体電子装置とすることができる。
【００２１】
第３の発明は、前記通信手段は、前記測定手段が測定した前記受信データの電界強度と、前記通信手段により送信された送信データの電界強度の測定結果が格納された前記経路からの前記受信データとに基づいて選択としたものであり、測定手段が測定した通信データの電界強度だけではなく、通信手段により送信された送信データの電界強度の測定結果が格納された経路からの通信データも選択する情報とすることで、受信状態および送信状態の両方の状態により経路の選択をすることができる。従って、より高品質な通信が可能な無線ネットワークに接続可能な移動体電子装置とすることができる。
【００２２】
第４の発明は、前記受信データは、装置の名称に関する情報を含むものであり、受信データとして、装置の名称に関する情報を含む受信データとすることで、装置の名称に対応した電界強度を容易に取得することができるので、無線ネットワーク内で管理される、例えばネットワークＩＤなど独自の識別子と、装置の名称との対応テーブルなどを持つ必要がない。
【００２３】
第５の発明は、他の電子装置と無線ネットワークにより接続される移動体電子装置であって、前記他の電子装置と直接通信または中継装置を介して通信する通信手段と、前記通信手段により受信された受信データの電界強度を測定する測定手段と、通信制御部２１とを備え、前記通信制御部２１は定期的または必要に応じて無線ネットワーク内の同期をとるための問い合わせパケット（Inquiryパケット）を発信し、自らが発信したInquiryパケットに対しての応答パケット（Inquiry_resパケット）を返してきた電子装置または中継装置のみ対して名前情報要求パケット（LMP_name_req）を送信し、この名前情報要求パケットに対して相手方装置から名前情報が書き込まれたパケット（LMP_name_res）を受信した場合に当該名前情報が書き込まれたパケットを受信した際に前記測定手段により該パケットを受信時の電界強度を測定し、この測定値を強度記憶部に相手方の電子装置または中継装置を示す名前情報と共に格納し、前記強度記憶部の情報に基づいて直接電子装置との間で通信する経路または中継装置を介して通信する経路の内で最も良好な通信ができる経路を選択するものであり、移動体電子装置側で受信した状態に応じた無線ネットワークの経路を選択することができる。
【００２４】
（実施の形態１）
以下、図面に基づいて本発明の実施の形態について説明する。
【００２５】
本発明の実施の形態１に係る移動体電子装置の構成について、図１および図２に基づいて説明する。
【００２６】
図１は、本発明の実施の形態１に係る移動体電子装置の一例であるコードレス電話機の子機が接続する無線ネットワークを説明する図である。図２は、本発明の実施の形態１に係る移動体電子装置の一例であるコードレス電話機の子機の構成図である。
【００２７】
図１に示すように、本発明の実施の形態１における無線ネットワークシステムには、第１の無線ネットワーク２と第２の無線ネットワーク４の二つの無線ネットワークが含まれている。第１の無線ネットワーク２には、電子装置であるコードレス電話機の親機３と、第２の無線ネットワーク４との間の中継装置として動作するリピータ５と、第２の無線ネットワーク４内で通話をしている移動体電子装置であるコードレス電話機の子機６ａとを有している。また第１の無線ネットワーク２には、その他の電子装置として、携帯電話７や、通信機能を有するデジタルカメラ８や、親機３の子機６ｂなどが、通信を行っている。
【００２８】
第２の無線ネットワーク４は、第１の無線ネットワーク２との間の中継装置として動作するリピータ５を中心とした無線ネットワークである。第２の無線ネットワーク４には子機６ａ以外に子機６ｃが加わっており、それぞれリピータ５を介して通信を行っている。また図１の例では、子機６ａは、第１の無線ネットワーク４の他に、第１の無線ネットワーク２にも接続可能な範囲内に位置する。なお、これら子機６ａ，６ｂ，６ｃは、同じ構成を備えているので、区別しない場合は、子機６とする。
【００２９】
コードレス電話機の親機３と、リピータ５と、子機６と、携帯電話７と、デジタルカメラ８と、子機６は、ブルートゥースの規格に準拠した手順で通信を行っている。従って、ブルートゥースでは、第１の無線ネットワーク２と第２の無線ネットワーク４のような通信ネットワークをピコネットと呼んでいる。
【００３０】
親機３は、１ｍＷから１００ｍＷの送信電力で、直径１０ｍ程度の第１の無線ネットワーク２の範囲内の他の電子装置と通信をしている。同様に、リピータ５も１ｍＷから１００ｍＷの送信電力で、直径１０ｍ程度の第２の無線ネットワーク４の範囲内の他の電子装置と通信をしている。また親機３は、無線ネットワークでこれら各電子装置と無線接続するとともに、有線により公衆回線網９に接続されている。
【００３１】
リピータ５は、親機３の通信範囲である第１の無線ネットワーク２の範囲内に設置され、第１の無線ネットワーク２外にある子機６ｃと親機３との通信を中継する。従って、子機６は、リピータ５を中心とする第２の無線ネットワーク４の範囲内であれば、リピータ５経由で親機３と通話が可能となる。また、第１の無線ネットワーク２の範囲内にある子機６ａもリピータ５と通信可能な第２の無線ネットワーク４の範囲内であるため、リピータ５を介して親機３と通話することが可能である。
【００３２】
また、親機３及び子機６ａ，６ｂ，６ｃは、同じメーカであるＡ社製のコードレス電話機の親機及び子機であり、これら親機及び子機はコードレス電話機として１セットである。また、リピータ５およびデジタルカメラ８もＡ社製とし、携帯電話７はＢ社製とする。
【００３３】
次に、コードレス電話機の子機６の構成について、図２に基づいて説明する。
【００３４】
子機６は、アンテナ１５と、無線部１６と、同期相関器１７と、受信パケット処理部１８と、スピーチデコーダ１９と、スピーカ２０と、通信制御部２１と、マイク２２と、スピーチエンコーダ２３と、送信パケット処理部２４と、キー入力２５と、液晶表示部２６とを備えている。
【００３５】
アンテナ１５は、無線ネットワークに接続された他の電子装置や、直接または中継装置であるリピータ装置から無線電波で送信されたパケットを受信する。
【００３６】
無線部１６は、ＩＳＭ（Industry Science Medical）バンドとよばれる、２．４０２ＧＨｚから２．４８０ＭＨｚまでの周波数帯域を使用して２値周波数変調方式（Binary Frequency Shift Keying）で変調、復調する変調復調部３０と、受信した電界強度を測定する電界強度測定部３１とを備えている。
【００３７】
電界強度測定部３１は、Ａ／Ｄコンバータ等で構成され、測定された電界強度は、その度合いにより０から１０までの値として、通信制御部２１に出力される。
【００３８】
同期相関器１７は、パケットの先頭部であるアクセスコードにより、受信したパケットが子機３が接続する無線ネットワークのパケットであると判定すると、パケットを受信パケット処理部１８へ出力する。アクセスコード内に含まれるプリアンブル、シンクワードまたはトレーラなどで発生した同期エラーを検出すると通信制御部２１へ通知する。
【００３９】
受信パケット処理部１８は、音声パケット処理部３２と、スピーチバッファ３３と、データパケット処理部３４と、データバッファ３５を備えている。
【００４０】
受信パケット処理部１８は、受信したパケットの中間部分であるパケットヘッダの内容が、音声データであるＳＣＯパケットであれば、音声パケット処理部３２にてパケットの最終部であるペイロードに格納される音声データが取り出され、それをスピーチバッファ３３へ出力して格納する。また、受信パケット処理部１８は、パケットヘッダとペイロードの各部分に格納される誤り検出符号からエラーのチェックを行い、パケットヘッダエラーまたはペイロードエラーを検出すると、通信制御部２１へ通知する。
【００４１】
また、受信パケット処理部１８は、受信したパケットが、データの通信用に使用されるＡＣＬパケットであれば、データパケット処理部３４にてパケットの最終部であるペイロードに格納されたデータが取り出され、それをデータバッファ３５へ出力して格納する。
【００４２】
スピーチデコーダ１９は、スピーチバッファ３３に格納されたデジタルデータである音声データをデコードしてアナログに変換しスピーカ２０にて音声として出力する。
【００４３】
通信制御部２１は、通信強度記憶部４０と、強度判定部３９とを備えている。強度記憶部４０は、無線部１６の電界強度測定部３１で測定した受信パケットの電界強度を記憶する。強度判定部３９は、受信したパケットの電界強度の強さの良否判定をするための閾値が設定され、この閾値に基づいて電界強度の強さを判定する。また、強度判定部３９は、電界強度の強弱を視角的に視認しやすいよう、一般的な携帯電話機などの表示部に電界強度が強いと段階的に長い棒が表示されるアンテナ表示を表示するため、数段階の閾値が設定され、電界強度の表示の際の判定を行っている。
【００４４】
また通信制御部２１は、時分割スロットでデータをパケットとして送受信するタイミング等を、無線部１６、同期相関器１７、受信パケット処理部１８、送信パケット処理部２４へ通知する制御をしており、無線ネットワークに接続する経路を選択する機能を有する。
【００４５】
マイク２２から入力されたアナログ信号である音声は、スピーチデコーダ２３によりデジタルデータに変換され送信パケット処理部２４へ入力される。
【００４６】
送信パケット処理部２４は、スピーチバッファ３６と、送信パケット生成部３７と、データバッファ３８とを備えている。
【００４７】
スピーチバッファ３６は、スピーチデコーダ１９によりデジタルデータとして変換された音声データが格納される。
【００４８】
送信パケット生成部３７は、スピーチバッファ３６に格納された音声データをＳＣＯパケットとして生成し、通信制御部２１の制御により無線部１６によりアンテナ１５を介して送信される。また、送信パケット生成部３７は、通信制御部２１により他の電子装置へ送信する音声以外のデータがデータバッファ３８に格納されている場合には、その内容に基づいてＡＣＬパケットとして生成し、ＳＣＯパケット同様、無線部１６からアンテナ１５を介して送信される。
【００４９】
液晶表示部２６は、通信制御部２１により表示され、携帯電話機等に使用される程度のサイズの液晶ディスプレイ等を用いることができる。
【００５０】
キー入力部２５は、操作者が操作するためのキーを備え、液晶表示部２６のカーソルの上下移動を操作する上下キー、決定した際に押下する決定キー、電話番号などを入力する数字キーにより構成される。
【００５１】
これらの、受信パケット処理部１８、通信制御部２１、送信パケット処理部２４、スピーチデコーダ１９、スピーチエンコーダ２３などは、ゲートアレイや、ＭＰＵ（Micro Processing Unit）、制御プログラムを格納したＲＯＭ（Read Only Memory）、プログラムが読み書きに使用するＲＡＭ（Random Access Memory）により構成することが可能である。
【００５２】
また、スピーチバッファ３３，３６や、データバッファ３５，３８は、書き換え可能な、ＳＲＡＭ（Static Random Access Memory）や、ＤＲＡＭ（Dynamic Random Access Memory）などが使用できる。
【００５３】
以上のように構成される本発明の実施の形態に係る移動体電子装置の動作を図に基づいて説明する。図３は、本発明の実施の形態に係る移動体電子装置の動作を説明する図である。なお、子機６ａはまだ、どこの無線ネットワークであるピコネットとも同期を取っていない状態である。
【００５４】
まず、子機６ａは、リピータに対して、ピコネット内の同期をとるため、「問い合わせ」であるInquiryパケットを送信する。その際のInquiryパケットは、子機６ａが接続可能なピコネット内の全ての電子装置が対象となるよう、「問い合わせアクセスコード」であるＧＩＡＣ（General Inquiry Access Code）を示すブルートゥースアドレス（BD_ADDR）をパケットの先頭部であるアクセスコードに格納して送信される。しかし、ピコネット内の子機６ａから送信されたInquiryパケットは、リピータ５および親機３へ到達しているが、周波数ホッピングで通信を行っているため、問い合わせ周波数ホッピングパターンが合わなければ応答はない（Ｓ１０）。
【００５５】
ＧＩＡＣのブルートゥースアドレスはブルートゥースの仕様で定められたアドレスであり、子機６は、通信制御部２１から送信パケット処理部２４の送信パケット生成部３７へＧＩＡＣを用いたInquiryパケットの送信指示を出すことで、送信パケット生成部３７はＧＩＡＣをパケットに付加して無線部１６に送り、無線部１６にて変調してアンテナ１５を介して送信する。
【００５６】
次に、再度、子機６は、Inquiryパケットを送信するが、今度は各電子装置が任意に決定することができるブルートゥースアドレスを使用してInquiryパケットを送信する。すなわち子機６は、接続対象装置を絞り込んだ「問い合わせアクセスコード」であるＤＩＡ
Ｃ（Dedicated Inquiry Access Code）をパケットに付加して送信を試みる。
【００５７】
子機６ａおよび親機３やリピータ５は同じＡ社製なので、互いにＤＩＡＣを待っている。また子機６ａは、同じＡ社製のリピータ５のブルートゥースアドレスが予め判っている。従って子機６ａは、通信制御部２１に設定されたＡ社製のリピータ５のブルートゥースアドレスを使用したＤＩＡＣをInquiryパケットとして、前述のＧＩＡＣと同様に通信制御部２１が送信パケット生成部３７へ送信指示を出すことで送信することができる。
【００５８】
これにより、Ａ社製の子機６ａから発した Inquiryに対してはリピータ５を始めとする同じＡ社製の電子装置のみが応答するため、それだけ通信相手である電子装置がInquiryパケットを受信できる確率が高くなり、通信確立が早くなる。子機６ａはこのＤＩＡＣを用いたInquiryパケットを数回繰り返して送信する（Ｓ２０）。
【００５９】
Ｓ２０の最後で送信したInquiryパケットにリピータ５が受信することができた場合、Inquiryパケットに対する応答パケットであるInquiry_resパケットをリピータ５が送信する（Ｓ３０）。
【００６０】
このデータパケットであるInquiry_resパケットは、受信パケット処理部１８のデータパケット処理部３４にて処理され、データバッファに格納され、通信制御部２１で解析されて、次のステップである「呼び出し」（Page）のパケットを送信するため、通信制御部２１から送信パケット処理部２４の送信パケット生成部３７へ「呼び出し」のパケットの送信指示を出す。
【００６１】
そして、子機６ａはリピータ５との無線ネットワークであるピコネットでの同期をはかるため、子機６ａとリピータ５の間で「呼び出し」や「呼び出し応答」（Page_res）が行われ、子機６ａは、リピータ５の内部クロックを子機６ａに同期させるために、ブルートゥースクロックの情報をリピータ５へ通知する（Ｓ４０）。
【００６２】
次に、Ｓ５０にて、子機６ａとリピータ５とで名前情報の通信を行い、同時に無線電波の電界強度の測定する。その説明を図２，図４および図５に基づいて詳細に行う。
【００６３】
図４は、名前情報の通信に使用するパケットのフォーマットを説明する図、図５は、名前情報の通信手順を説明する図で、（ａ）は子機とリピータ間での通信手順を示す図、（ｂ）は子機と親機間での通信手順を示す図である。
【００６４】
図４に示すように、子機６ａからリピータ５へ名前情報の要求パケットであるLMP_name_reqパケットを送信する。このLMP_name_reqに対応してリピータ５はLMP_name_resパケットを送信する。リピータ５が送信するLMP_name_resパケットは、図５に示すように、名前情報である最大２４８バイトを最大１８分割してパケットの最後部であるペイロードに格納されて送信される。例えば、リピータ５の製造会社名，型式、製造番号などを送信するために、ｎ分割された名前情報は、名前情報１から名前情報ｎまでが、LMP_name_res（１）パケットからLMP_name_res（ｎ）パケットとして図３のＳ５０にて、リピータ５から子機６ａへ送信される。
【００６５】
その際、Inquiry_res（図３、Ｓ３０参照。）パケットから図３のＳ５０におけるLMP_name_res（ｎ）パケットまでの無線電波の電界強度であるＲＳＳＩ（Received Signal Strength Indicator）を無線部１６の電界強度測定部３１が測定し、この測定値を通信制御部２１の強度記憶部４０に発信元のリピータ５を示す情報と共に格納する。さらに通信制御部２１がその平均値を算出し、これも発信元のリピータ５を示す情報と共に強度記憶部４０に格納する。
【００６６】
また、リピータ５は、子機６ａからのLMP_name_req（１）パケットからLMP_name_req（ｎ）パケットまでの無線電波に電界強度を測定し、その平均値を、最終の返信パケットであるLMP_name_res（ｎ）パケットのペイロードの最後部の領域に格納して送信する。最後の名前情報のパケットであるLMP_name_res（ｎ）パケットを受信した子機６ａは、ペイロードの最後部の領域に格納された、子機６ａからの送信したパケットの電界強度の平均値を無線１６の電界強度測定部３１で測定し、通信制御部２１が読み出し、相手方であるリピータ５を示す情報と共に強度記憶部４０へ格納する。
【００６７】
図３に戻って、子機６ａは、リピータ５の名前情報および電界強度の測定が完了したので、リピータ５の負荷を軽くすると同時に、認証などの複雑な手順が発生することを避ける目的で通信リンクを切断するために、リピータ５へLMP_detachパケットを送信する（Ｓ６０）。
【００６８】
次に、同様にして、子機６ａは、ＧＩＡＣを用いたInquiryパケットをＳ７０で送信し、親機３へ対してもＤＩＡＣを用いたInquiryパケットを数回送信を試みるうちに、Ｓ８０にて親機３は、Inquiryパケットを受信できると、親機３は、その応答パケットであるInquiry_resパケットを送信する（Ｓ９０）。
【００６９】
そして、子機６ａは親機３との無線ネットワークであるピコネットでの同期をはかるため、子機６ａと親機３の間で「呼び出し」や「呼び出し応答」が行われ、子機６ａは、親機３の内部クロックを子機６ａに同期させるために、ブルートゥースクロックの情報を親機３へ通知する（Ｓ１００）。
【００７０】
Ｓ１１０にて、子機６ａと親機３との間で、Ｓ５０で行った名前情報と無線電波の電界強度の測定を行う。これを図５（ｂ）に基づいて詳細に説明する。
【００７１】
子機６ａから親機３へ名前情報の要求パケットであるLMP_name_req（１）パケットを送信する。このLMP_name_req（１）に対応して親機３はLMP_name_res（１）パケットを送信する。同様にして、子機６ａは、LMP_name_req（ｎ）に対応して親機３はLMP_name_res（ｎ）パケットを送信して完了する。親機３から送信されるLMP_name_req（１）からLMP_name_req（ｎ）パケットには、例えば、親機３の製造会社名，型式、製造番号などが名前情報として格納されている。
【００７２】
そして、子機６ａは、LMP_name_res（１）パケットからLMP_name_res（ｎ）パケットまでの無線電波の電界強度であるＲＳＳＩ（Received Signal Strength Indicator）を無線部１６の電界強度測定部３１が測定し、通信制御部２１の強度記憶部４０に親機３を示す情報と共に格納する。それとともに通信制御部２１がその平均値を算出し、親機３を示す情報と共に強度記憶部４０に格納する。
【００７３】
また、親機３は、子機６ａからのInquiry_res（図３、Ｓ９０参照。）パケットから図３のＳ１１０におけるLMP_name_req（ｎ）パケットまでの無線電波の電界強度を測定し、その平均値を、最終の返信パケットであるLMP_name_res（ｎ）パケットのペイロードの最後の領域に格納して送信する。
【００７４】
最後の名前情報のパケットであるLMP_name_res（ｎ）パケットを受信した子機６ａは、ペイロードの最後部の領域に格納された、子機６ａからの送信したパケットの電界強度の平均値を無線１６の電界強度測定部３１で測定し、通信制御部２１が読み出し、相手方である親機３を示す情報と共に強度記憶部４０へ格納する。
【００７５】
このように、装置名などの名前情報を含むLMP_name_resパケットの電界強度を測定することにより、また、親機３側またはリピータ５側で測定した電界強度のデータをLMP_name_resパケットへ格納することにより、名前情報に対応した電界強度を容易に取得することができるので、それぞれのピコネット内のみで管理されるアクティブメンバアドレスと、装置名との対応テーブルなどを、通信制御部２１に持つ必要がない。
【００７６】
Ｓ１２０にて、子機６ａは、親機３の名前情報および電界強度の測定が完了したので、親機３の負荷を軽くすると同時に、認証などの複雑な手順が発生することを避ける目的で通信リンクを切断するために、親機３へLMP_detachパケットを送信する。
【００７７】
ここで、子機６ａが測定した受信データの電界強度を液晶表示部２６へ表示し、キー入力部２５により、接続する電子装置を選択する動作を、図６から図１０に基づいて説明する。
【００７８】
図６は、強度記憶部４０に格納された、親機３とリピータ５の名前情報および電界強度の内容を示す図である。図７は、強度判定部３９に設定された閾値の内容を示す図。図８通信制御部２１が液晶表示部２６へ表示する動作を説明するフローチャートである。図９は、通信制御部２１が液晶表示部２６へ表示する一例を示す図である。図１０は、通信制御部２１が液晶表示部２６へ表示する動作を説明するフローチャートである。
【００７９】
図６に示すように、強度記憶部４０は、名前情報フィールド５１と、受信パケット電界強度フィールド５２と、送信パケット電界強度フィールド５３を有している。
【００８０】
名前情報フィールド５１は、図３のＳ５０およびＳ１１０で子機６ａが受信したLMP_name_res（１）パケットからLMP_name_res（ｎ）のペイロードに格納された名前情報が格納されている。親機３は「Ａ社  コードレス電話機  親機」として格納され、リピータ５は、「Ａ社  リピータ」として格納されている。
【００８１】
受信パケット電界強度フィールド５２は、親機３またはリピータ５からInquiry_res（図３、Ｓ３０またはＳ９０参照）パケットからLMP_name_res（ｎ）（図５（ａ）または（ｂ）参照）を子機６ａが受信した際に、無線部１６の電界強度測定部３１での電界強度の平均値が格納される。親機３から受信したパケットの電界強度は、「５」で、リピータ５から受信したパケットの電界強度は、「８」であることを示す。
【００８２】
送信パケット電界強度フィールド５３は、子機６ａが送信したLMP_name_req（１）パケットからLMP_name_req（ｎ）パケットまでを、親機３またはリピータ５が測定し、その平均値を、最終の返信パケットであるLMP_name_res（ｎ）パケットのペイロードの最後部の領域の値を格納する。親機３が測定した電界強度は「５」で、リピータ５が測定した電界強度は、「８」であることを示す。
【００８３】
図７に示すように、強度判定部３９は、４つの閾値を有している。閾値Ａ〜Ｃは、段階的に長い棒が表示されるアンテナ表示を表示するための閾値であり、３種類の段階的な値としてそれぞれの閾値と比較することで、４本のアンテナ表示を表示することが可能である。閾値Ｄは、子機６ａの受信状態または送信状態が、「良い」または「悪い」という、二者択一的な良否判定の目安としての表示を行うための閾値である。
【００８４】
次に、通信制御部２１が液晶表示部２６へ表示する動作を図８に基づいて説明する。
【００８５】
まずは、通信制御部２１が液晶表示部２６へ表示する際に、送信パケット電界強度フィールド５３を参照せずに、子機６ａ側でそれぞれの経路から受信したパケットの電界強度
のみを使用して、通信する経路を選択する例を説明する。
【００８６】
Ｓ２１０にて、通信制御部２１は、強度記憶部４０の名前情報フィールド５１に格納された名前情報を液晶表示部２６へ表示する。例えば、親機３の場合は、「Ａ社  コードレス電話機  親機」と表示する。
【００８７】
Ｓ２２０にて、通信制御部２１は、強度記憶部４０の受信パケット電界強度フィールドに格納された電界強度を、強度判定部３９に設定された閾値Ａと比較する。閾値Ａが「４」であり、受信パケット電界強度フィールド５２の親機３の値は、「５」であるので、Ｓ２４０へ移行する。もし、受信パケット電界強度フィールド５２の値が「４」未満であればＳ２３０へ移行して、通信制御部２１は液晶表示部２６へ、アンテナ表示として１本を表示する。
【００８８】
Ｓ２３０にて、通信制御部２１は、強度記憶部４０の受信パケット電界強度フィールドに格納された電界強度を、強度判定部３９に設定された閾値Ｂと比較する。閾値Ｂが「６」であり、受信パケット電界強度フィールド５２の親機３の値は、「５」であるので、Ｓ２５０へ移行し、通信制御部２１は液晶表示部２６へアンテナ表示として３本を表示する。リピータ５の場合は、「８」であるので、受信パケット電界強度フィールド５２の値が「６」以上なので、Ｓ２６０へ移行する。
【００８９】
Ｓ２６０にて、通信制御部２１は、強度記憶部４０の受信パケット電界強度フィールドに格納された電界強度を、強度判定部３９に設定された閾値Ｃと比較する。閾値Ｃが「８」であり、受信パケット電界強度フィールド５２のリピータ５の値は、「８」であるので、Ｓ２８０へ移行して、通信制御部２１は液晶表示部２６へアンテナ表示を４本を表示してＳ２９０へ移行する。もし、受信パケット電界強度フィールド５２の値が「８」未満であれば、Ｓ２７０へ移行して、通信制御部２１は液晶表示部２６へアンテナ表示として３本を表示する。
【００９０】
最後に、Ｓ２９０にて、通信制御部２１は、強度記憶部４０の受信パケット電界強度フィールド５２に格納された電界強度を、強度判定部３９に設定された閾値Ｄと比較する。閾値Ｄが「６」であり、受信パケット電界強度フィールド５２のリピータ５の値は、「８」であるので、通信制御部２１は液晶表示部２６へ、リピータ５から子機６ａへの受信状態が「良い」を示す「ＧＯＯＤ」を表示する。親機３の場合は、強度記憶部４０の受信パケット電界強度フィールドに格納された電界強度が「５」であるため、受信状態が「悪い」を示す「ＢＡＤ」を通信制御部２１は液晶表示部２６へ表示する。
【００９１】
図９は、親機３、リピータ５の他に、携帯電話７とデジタルカメラ８を表示した例である。
【００９２】
図９に示すように、液晶表示部２６に、名前情報に対応してアンテナ表示と、電界強度の受信状態を示す「ＧＯＯＤ」や「ＢＡＤ」を良否判定の目安として表示している。
【００９３】
通信制御部２１は、図３のＳ５０に示すリピータ５との電界強度の測定が終わると、その結果を液晶表示部２６へ表示し、Ｓ１１０で親機３との電界強度の測定が終わると、その結果を液晶表示部２６へ表示する。つまり、ブルートゥースアドレスが判明している電子装置に対し、ＤＩＡＣを用いたInquiryパケットを送信する度にごとに、液晶表示部２６の上の方から順に、同じメーカの電子装置の表示を行うことができる。
【００９４】
キー入力部２５は、上下キー５５と、決定キー５６キーを備えている。図９においては便宜上、電話番号を入力するために数字キーや、オンフック，オフフックするための通話
キーなどは省略している。
【００９５】
操作者が上下キー５５を上下に押下することで、キー入力部２５から通信制御部２１へ通知され、通信制御部２１が名前情報を囲うように表示された選択カーソル枠５７を上下に移動させるように表示する。
【００９６】
このようにして、操作者が上下キー５５を操作して選択カーソル枠５７を上下に移動させ、決定キー５６を押下して、接続する電子装置を選択する。
【００９７】
この場合では、「Ａ社  リピータ」が、４本表示されたアンテナ表示と、「ＧＯＯＤ」の表示により、最も電界強度が強いことを示すので、選択カーソル枠５７が「Ａ社  リピータ」を選択している状態で、決定キー５６を押下することで、通信制御装置２１は、リピータ５を選択し通信を開始する。
【００９８】
このように、液晶表示部２６に、名前情報とそれに対応した電界強度を表示することで、操作者へ無線ネットワークであるピコネットの通信状態が一目で視認することができる。
【００９９】
操作者によってリピータ５が選択されたことが通知された通信制御部２１は、リピータ５に対して通信開始し、図３のＳ１３０で示されるように、「呼び出し」や「呼び出し応答」であるPageやPage_resから通信を始める。これは、Ｓ４０によりブルートゥースクロックの通知を受けているため周波数ホッピングのパターンが判っているため、「呼び出し」や「呼び出し応答」から開始することができる。Ｓ１３０以降は、通常の接続手順で子機６ａとリピータ５間で通信を行い、操作者が会話を開始する。
【０１００】
次に、通信制御部２１が液晶表示部２６へ表示する際に、送信パケット電界強度フィールド５３を参照して、子機６ａが通信する経路を選択する例を説明する。
【０１０１】
図６に示す、子機６ａが受信したパケットの電界強度を格納した受信パケット電界強度フィールド５２の値と、子機６ａが送信したパケットの電界強度を格納した送信パケット電界強度フィールド５３の値の平均値を通信制御部２１が算出して、子機６ａと電子装置である親機３またはリピータ５との無線電波の電界強度として、液晶表示部２６へ表示することも可能である。
【０１０２】
例えば、図６に示す場合では、親機３とリピータ５の受信パケット電界強度フィールド５２の値と、送信パケット電界強度フィールド５３の値は同じであるため、親機３は「５」となり、リピータ５は「８」となる。このように、送信パケットと受信パケットのそれぞれの電界強度の平均値を通信制御部２１が算出する、そして、強度判定部３９に設定された閾値Ｄ（図８参照）と比較して閾値Ｄの方が高い値であれば「ＢＡＤ」、閾値Ｄの方が低い値であれば「ＧＯＯＤ」となり、アンテナ表示および良否判定の目安となる「ＧＯＯＤ」または「ＢＡＤ」の表示を行うことができる。
【０１０３】
また、子機６ａが受信したパケットの電界強度を格納した受信パケット電界強度フィールド５２の値と、子機６ａが送信したパケットの電界強度を格納した送信パケット電界強度フィールドの値の差分値を算出し、子機６ａが受信したパケットの電界強度が大きいが、送信したパケットの電界強度が小さい場合が差が小さいなど、バラつきが大きい場合には、通話するのに望ましくない場合がある。この場合には、アンテナ表示は、受信パケット電界強度フィールド５２の値そのままを表示するが、良否判定の目安となる「ＧＯＯＤ」や「ＢＡＤ」の表示は、バラつきが所定値を以内なら「ＧＯＯＤ」とし、所定値以上なら「ＢＡＤ」とすることができる。そうすることで、操作者へより詳細な情報を伝達する
ことができる。
【０１０４】
「ＧＯＯＤ」または「ＢＡＤ」の良否判定は、図８に示すように、受信したパケットの電界強度に応じて表示するようにしたが、受信したパケットのエラー発生度合いに応じて表示してもよい。受信したパケットのエラー発生度合いに応じて表示する例を図１０に基づいて説明する。
【０１０５】
通信制御部２１は、同期相関器１７から通知された同期エラーや、受信パケット処理部１８から通知されたパケットヘッダエラーまたはペイロードエラーなどの通信エラーに応じて良否判定を行う。
【０１０６】
図１０は、図８において電界強度を測定してアンテナ表示行うＳ２１０からＳ２８０までの処理を行った後に、実施される判定処理である。
【０１０７】
図１０に示すように、受信したパケットのエラー発生回数が通信状態が良好であることを示す良好判定閾値以下であるか否かを判定する（Ｓ４００）。
【０１０８】
Ｓ４００にて、エラー発生回数が良好判定閾値以下である場合には、通信制御部２１は「ＧＯＯＤ」を液晶表示部２６へ表示する（Ｓ４１０）。
【０１０９】
次に、エラー発生回数が、良好閾値より大きい場合、エラー発生回数が通信状態が不良であることを示す不良判定閾値以下であるか否かを判定する（Ｓ４２０）。
【０１１０】
Ｓ４２０にて、エラー発生回数が不良判定閾値以下である場合には、通信制御部２１は「ＢＡＤ」を液晶表示部２６へ表示する（Ｓ４３０）。
【０１１１】
そして、Ｓ４２０にてエラー発生回数が不良判定閾値より大きい場合、つまり通信状態が「とても悪い」状態であることを示しており、通信制御部２１は「ＶＥＲＹ  ＢＡＤ」を液晶表示部２６へ表示する（Ｓ４４０）。
【０１１２】
このように、受信したパケットのエラー発生回数に応じて３段階で表示することも可能である。また３段階は、「ＧＯＯＤ」または「ＢＡＤ」の２段階でもよいし、「ＥＸＣＥＬＬＥＮＴ」、「ＧＲＥＡＴ」、「ＧＯＯＤ」、「ＢＡＤ」、「ＶＥＲＹ  ＢＡＤ」などの５段階としてもよい。
【０１１３】
また、エラー発生回数は、受信したパケットエラー発生箇所に応じた重み付けされたエラー値としてもよい。受信したパケットで最も重要な同期エラーを最も高いエラー値とし、ペイロードエラーを低いエラー値とするなどして、エラー発生箇所に応じた表示を行うことができる。
【０１１４】
以上、本発明の実施の形態について説明してきたが、本発明は、前記実施の形態に限定されるものではなく、良否判定の目安となる「ＧＯＯＤ」や「ＢＡＤ」の表示を行わずに、「ＧＯＯＤ」表示している電子装置へ、通信制御部２１が自動的に接続する経路として選択することも可能である。
【０１１５】
また、液晶表示部２６の表示内容として、受信パケット電界強度フィールド５２および送信パケット電界強度フィールド５３の値を参照して、１つ表示しているが、それぞれの値をそれぞれ２つ表示しても良い。
【０１１６】
また、液晶表示部２６は液晶ディスプレイ以外に、ＣＲＴ（Cathode Ray Tube）や、プ
ラズマディスプレイなども使用できる。
【産業上の利用可能性】
【０１１７】
本発明にかかる移動体電子装置は、無線ネットワークを介して受信されるデータの電界強度の状態に応じて、最適な通信を行うことが不可欠な用途に適用できる。
【図面の簡単な説明】
【０１１８】
【図１】本発明の実施の形態１に係る移動体電子装置の一例であるコードレス電話機の子機が接続する無線ネットワークを説明する図
【図２】本発明の実施の形態１に係る移動体電子装置の一例であるコードレス電話機の子機の構成図
【図３】本発明の実施の形態に係る移動体電子装置の動作を説明する図
【図４】名前情報の通信に使用するパケットのフォーマットを説明する図
【図５】名前情報の通信手順を説明する図
【図６】強度記憶部に格納された、親機とリピータの名前情報および電界強度の内容を示す図
【図７】強度判定部に設定された閾値の内容を示す図
【図８】通信制御部が液晶表示部へ表示する動作を説明するフローチャート
【図９】通信制御部が液晶表示部へ表示する一例を示す図
【図１０】通信制御部が液晶表示部へ表示する動作を説明するフローチャート
【符号の説明】
【０１１９】
１    無線ネットワーク
２    第１の無線ネットワーク
３    親機
４    第２の無線ネットワーク
５    リピータ
６，６ａ，６ｂ，６ｃ    子機
７    携帯電話
８    デジタルカメラ
９    公衆回線網
１５    アンテナ
１６    無線部
１７    同期相関器
１８    受信パケット処理部
１９    スピーチデコーダ
２０    スピーカ
２１    通信制御部
２２    マイク
２３    スピーチエンコーダ
２４    送信パケット処理部
２５    キー入力部
２６    液晶表示部
３０    変調復調部
３１    電界強度測定部
３２    音声パケット処理部
３３    スピーチバッファ
３４    データパケット処理部
３５    データバッファ
３６    スピーチバッファ
３７    送信パケット生成部
３８    データバッファ
３９    強度判定部
４０    強度記憶部
５１    名前情報フィールド
５２    受信パケット電界強度フィールド
５３    送信パケット電界強度フィールド
５５    上下キー
５６    決定キー
５７    選択カーソル枠
【図１】
2005204123.tif 000003
【図２】
2005204123.tif 000004
【図３】
2005204123.tif 000005
【図４】
2005204123.tif 000006
【図５】
2005204123.tif 000007
【図６】
2005204123.tif 000008
【図７】
2005204123.tif 000009
【図８】
2005204123.tif 000010
【図９】
2005204123.tif 000011
【図１０】
2005204123.tif 000012